(57)【要約】【課題】リダイレクトレスポンスとして返送されてきた複数のリダイレクト宛先の中で所定の通信種別の転送先を自動選択して送信するネットワークファクシミリ装置を提供する。【解決手段】受信側ファクシミリ装置３０は電話用リダイレクト宛先４０ａとＦＡＸ用リダイレクト宛先４０ｂ、４０ｃを設定してＳＩＰサーバ１０に登録し（Ｐ１）、ＳＩＰサーバ１０は送信側ファクシミリ装置２０からの受信側ファクシミリ装置への接続要求（Ｐ２）を受けると、該受信側ファクシミリ装置について設定されている複数のリダイレクト宛先４０ａ〜４０ｃの宛先情報（通信種別を含む）をリダイレクトレスポンスとして返送する（Ｐ３）。送信側ファクシミリ装置は、ファクシミリ送信の時は、リダイレクトレスポンスの中からＦＡＸ用リダイレクト宛先を通信種別に基づいて自動選択し、これらの代替宛先へファクシミリ送信する（Ｐ４）。【選択図】図１
2007312337.tif 000002
【特許請求の範囲】
【請求項１】
セッション制御プロトコルに基づき、セッション制御を行なうネットワークファクシミリ装置において、
ＳＩＰサーバに対して送信先端末との接続を要求する要求手段と、
前記接続要求に対する応答として、前記送信先端末とは異なる複数の他機の付帯情報を含む特定情報を前記ＳＩＰサーバより受信する受信手段と、
前記受信手段で受信した複数の他機の特定情報の中で所定の付帯情報を含む特定情報を抽出する抽出手段と
を備え、
前記抽出手段で抽出された特定情報が示す宛先を前記送信先端末の代替宛先として通信制御を行なう
ことを特徴とするネットワークファクシミリ装置。
【請求項２】
前記抽出手段は、前記送信先端末への送信に使用する付帯情報と同一の付帯情報を持つ特定情報を抽出する
ことを特徴とする請求項１に記載のネットワークファクシミリ装置。
【請求項３】
特定情報の抽出に係わる前記所定の付帯情報を設定する前記設定手段を有し、
前記抽出手段は、前記設定手段により設定された付帯情報に基づいて、前記特定情報を抽出する
ことを特徴とする請求項１に記載のネットワークファクシミリ装置。
【請求項４】
前記付帯情報は、通信種別を示す情報である
ことを特徴とする請求項１ないし３のいずれか１つに記載のネットワークファクシミリ装置。
【請求項５】
前記送信先端末へ送信する予定の画像情報を、前記抽出手段で抽出された特定情報が示す宛先へ送信する
ことを特徴とする請求項１ないし４のいずれか１つに記載のネットワークファクシミリ装置。
【請求項６】
セッション制御プロトコルに基づきセッション制御を行なう送信側ネットワークファクシミリ装置と受信側ネットワークファクシミリ装置とＳＩＰサーバとを有するネットワークファクシミリシステムにおいて、
前記受信側ネットワークファクシミリ装置は、自機の特定情報と、自機の特定情報と関連付けられた複数の他機の付帯情報を含む特定情報とを前記ＳＩＰサーバに送信して登録させ、
前記送信側ネットワークファクシミリ装置は、前記受信側ネットワークファクシミリ装置との接続を前記ＳＩＰサーバに要求し、
前記ＳＩＰサーバは、前記送信側ネットワークファクシミリ装置から前記受信側ネットワークファクシミリ装置との接続を要求された場合に前記受信側ネットワークファクシミリ装置の特定情報に関連付けて登録されている複数の他機の付帯情報を含む特定情報を前記送信側ネットワークファクシミリ装置に送信し、
前記送信側ネットワークファクシミリ装置は、前記接続要求に対する応答として、前記受信側ネットワークファクシミリ装置とは異なる複数の他機の付帯情報を含む特定情報を前記ＳＩＰサーバより受信した場合に、該受信した複数の他機の特定情報の中から所定の付帯情報を含む特定情報を抽出し、該抽出された特定情報が示す宛先を前記送信先端末の代替宛先として通信制御を行なう
ことを特徴とするネットワークファクシミリシステム。
【発明の詳細な説明】
【技術分野】
【０００１】
本発明は、セッション制御プロトコルに基づくセッション制御によって通信路を確立してファクシミリ通信を行なうネットワークファクシミリ装置に関する。
【背景技術】
【０００２】
ネットワークファクシミリの通信方式の１つとして、セッション制御プロトコル（ＳＩＰ…Session Initiation Protocol）を利用し、送受信機間をインターネットなどのネットワークを介してピア・ツゥ・ピアに接続して画像データを伝送するものがある。ＳＩＰにおいては、ネットワーク上に配置したＳＩＰサーバと呼ばれるサーバ（実際にはプロキシサーバ、登録サーバ、ロケーションサーバ、リダイレクトサーバなどで構成される）にファクシミリ装置を特定するための識別情報（例えば、公衆回線におけるＦＡＸの電話番号）とＩＰ（Internet Protocol）アドレスとを関連付けて登録しておき、送信機からＳＩＰサーバに対して宛先のＦＡＸ番号で接続を要求すると、ＳＩＰサーバは送信機から受け取ったＦＡＸ番号に対応するＩＰアドレスを検索し、該ＩＰアドレスを使用して送信機と宛先の受信機との呼接続を行なうようになっている。
【０００３】
また、ＳＩＰサーバでは、ＦＡＸ番号と関連付けて登録しておくＩＰアドレスを一時的に代替アドレス（リダイレクトアドレス）に設定変更する機能を提供しており、代替アドレスが設定されたＦＡＸ番号に対して送信機から接続要求があると、ＳＩＰサーバは、現在一時的に代替アドレスが設定されていることおよびその代替アドレスを、リダイレクトレスポンスとして送信機に通知するようになっている。
【０００４】
このような代替アドレスは、送信者の意図に反する宛先である場合がある。そこで、リダイレクトレスポンスが通知された場合に通信を自動的に中断することで、送信者の意図しない端末へファクシミリ送信されることを防止したネットワーク対応ファクシミリ装置がある（たとえば、特許文献１参照。）。さらにこの装置では、送信機側で代替アドレスとして許可する許可アドレスを予め登録しておき、リダイレクトレスポンスで通知された代替アドレスが許可アドレスと一致する場合に限り、この代替アドレスが示す宛先へ自動で転送するようになっている。
【０００５】
【特許文献１】特開２００５−９４６６２号公報
【発明の開示】
【発明が解決しようとする課題】
【０００６】
上記の技術では、リダイレクトレスポンスを受けた場合に、予め設定されている許可アドレスを除き、代替アドレスへは転送しないので、送信者の意図しない宛先への送信が防止される。しかしながら、各ＦＡＸ番号に関連付けてＳＩＰサーバに登録可能な代替アドレスが１つであるため、リダイレクトレスポンスを受けた送信機側で可能な選択は、その代替アドレスへ転送するか否かの判断に過ぎなかった。このため、たとえ、あるＦＡＸ番号の代替機として利用可能な端末がネットワーク上に複数存在する場合でも、送信機側のユーザが複数の代替機の中から転送先を選択するようなことはできなかった。
【０００７】
また、電話機能とファクシミリ機能とを併せ持つ電話機能付きファクシミリ装置の場合、電話用の代替アドレスとファクシミリ用の代替アドレスとが別々に設定されることも考えられる。この場合、リダイレクトレスポンスとして返送されてきた各代替アドレスが電話用の代替アドレスであるのかファクシミリ用の代替アドレスであるのかを送信機側で判別できなければ、ファクシミリ送信を誤って電話機に対して行なってしまう可能性がある。また、元々ファクシミリ送信を行なおうとしていた場合には、リダイレクトレスポンスとして返送されてきた複数の代替アドレスの中からファクシミリ用の代替アドレスが自動的に選択されて送信されると便利である。
【０００８】
本発明は、上記の事情に鑑みてなされたものであり、リダイレクトレスポンスとして返送されてきた複数の代替アドレスの中で所定の通信種別の宛先を自動選択して送信することのできるネットワークファクシミリ装置およびネットワークファクシミリシステムを提供することを目的としている。
【課題を解決するための手段】
【０００９】
かかる目的を達成するための本発明の要旨とするところは、次の各項の発明に存する。
（１）セッション制御プロトコルに基づき、セッション制御を行なうネットワークファクシミリ装置において、
ＳＩＰサーバに対して送信先端末との接続を要求する要求手段と、
前記接続要求に対する応答として、前記送信先端末とは異なる複数の他機の付帯情報を含む特定情報を前記ＳＩＰサーバより受信する受信手段と、
前記受信手段で受信した複数の他機の特定情報の中で所定の付帯情報を含む特定情報を抽出する抽出手段と
を備え、
前記抽出手段で抽出された特定情報が示す宛先を前記送信先端末の代替宛先として通信制御を行なう
ことを特徴とするネットワークファクシミリ装置。
【００１０】
上記発明では、１台の受信機側のネットワークファクシミリ装置に対して複数の他機が、通信種別などを示す付帯情報と共に代替機（リダイレクト宛先）として、ＳＩＰサーバに登録されている。送信機である当該ネットワークファクシミリ装置からＳＩＰサーバに対して送信先端末（受信側ネットワークファクシミリ装置）との接続を要求すると、該接続要求に対してＳＩＰサーバから複数のリダイレクト宛先の付帯情報を含む特定情報が、リダイレクトレスポンスとして返送される。当該ネットワークファクシミリ装置は、リダイレクトレスポンスにて受信した複数のリダイレクト宛先の中から所定の付帯情報に該当するものを抽出し、該抽出したリダイレクト宛先を代替の送信先に使用する。
【００１１】
付帯情報は、リダイレクト宛先を選別するための何らなの情報であればよく、通信種別やリダイレクト先の場所情報などがある。
【００１２】
他機の特定情報は、ネットワーク上で該他機を特定するための情報であり、たとえば、ＩＰアドレスや電子メールアドレスなどが使用される。
【００１３】
（２）前記抽出手段は、前記送信先端末への送信に使用する付帯情報と同一の付帯情報を持つ特定情報を抽出する
ことを特徴とする（１）に記載のネットワークファクシミリ装置。
【００１４】
上記発明では、接続要求した送信先端末に対してファクシミリ送信を行なおうとしていた場合は、リダイレクトレスポンスにて受信した複数のリダイレクト宛先の中から、元の宛先（送信先端末）と同一の付帯情報を持つリダイレクト宛先が抽出される。
（３）特定情報の抽出に係わる前記所定の付帯情報を設定する前記設定手段を有し、
前記抽出手段は、前記設定手段により設定された付帯情報に基づいて、前記特定情報を抽出する
ことを特徴とする（１）に記載のネットワークファクシミリ装置。
【００１５】
（４）前記付帯情報は、通信種別を示す情報である
ことを特徴とする（１）ないし（３）のいずれか１つに記載のネットワークファクシミリ装置。
【００１６】
上記発明では、通信種別は、装置が受信可能な通信の種類を示し、たとえば、その装置が通話用の電話機であるのかファクシミリ装置であるのかなどを示す。
【００１７】
（５）前記送信先端末へ送信する予定の画像情報を、前記抽出手段で抽出された特定情報が示す宛先へ送信する
ことを特徴とする（１）ないし（４）のいずれか１つに記載のネットワークファクシミリ装置。
【００１８】
上記発明では、通信種別などの付帯情報に基づいてリダイレクト宛先が抽出され、送信先端末へ送信する予定の画像情報が、これら抽出したリダイレクト宛先に対して自動送信される。
【００１９】
（６）セッション制御プロトコルに基づきセッション制御を行なう送信側ネットワークファクシミリ装置と受信側ネットワークファクシミリ装置とＳＩＰサーバとを有するネットワークファクシミリシステムにおいて、
前記受信側ネットワークファクシミリ装置は、自機の特定情報と、自機の特定情報と関連付けられた複数の他機の付帯情報を含む特定情報とを前記ＳＩＰサーバに送信して登録させ、
前記送信側ネットワークファクシミリ装置は、前記受信側ネットワークファクシミリ装置との接続を前記ＳＩＰサーバに要求し、
前記ＳＩＰサーバは、前記送信側ネットワークファクシミリ装置から前記受信側ネットワークファクシミリ装置との接続を要求された場合に前記受信側ネットワークファクシミリ装置の特定情報に関連付けて登録されている複数の他機の付帯情報を含む特定情報を前記送信側ネットワークファクシミリ装置に送信し、
前記送信側ネットワークファクシミリ装置は、前記接続要求に対する応答として、前記受信側ネットワークファクシミリ装置とは異なる複数の他機の付帯情報を含む特定情報を前記ＳＩＰサーバより受信した場合に、該受信した複数の他機の特定情報の中から所定の付帯情報を含む特定情報を抽出し、該抽出された特定情報が示す宛先を前記送信先端末の代替宛先として通信制御を行なう
ことを特徴とするネットワークファクシミリシステム。
【００２０】
上記発明では、受信側ネットワークファクシミリ装置は自機の特定情報と、自機の特定情報と関連付けられた複数の他機（リダイレクト宛先）の付帯情報を含む特定情報とをＳＩＰサーバに送信して登録させる。送信側ネットワークファクシミリ装置が、受信側ネットワークファクシミリ装置との接続をＳＩＰサーバに要求すると、ＳＩＰサーバは、受信側ネットワークファクシミリ装置の代替機として登録されている複数の他機の付帯情報を含む特定情報をリダイレクトレスポンスとして送信側ネットワークファクシミリ装置に送信する。これを受けた送信側ネットワークファクシミリ装置は、リダイレクトレスポンスで通知された複数のリダイレクト宛先の中から所定の付帯情報を持つものを抽出し、該抽出したリダイレクト宛先を代替宛先として送信する。
【００２１】
ＳＩＰサーバに登録する自機の特定情報とは、セッション制御プロトコルにおいてＳＩＰサーバが当該ネットワークファクシミリ装置を特定するための識別情報であり、たとえば、自機のＦＡＸ番号などが使用される。他機の特定情報は、自機と他機とがネットワークを介して直接通信するために他機をネットワーク上で特定するための情報であり、たとえば、ＩＰアドレスや電子メールアドレスなどが使用される。
【発明の効果】
【００２２】
本発明に係わるネットワークファクシミリ装置およびネットワークファクシミリシステムによれば、リダイレクトレスポンスとして返送されてきた代替アドレスの中から通信種別などの付帯情報に基づいてリダイレクト宛先を自動的に選択し、代替宛先として使用するので、たとえば、１つのＦＡＸ番号に対して設定されている電話用の代替アドレスとファクシミリ用の代替アドレスとがリダイレクトレスポンスで返送されてきた場合に、元の送信がファクシミリ送信であればファクシミリ用の代替アドレスだけを自動選択するなどの制御が可能となり、間違った通信種別の宛先へ誤送信することが防止される。
【発明を実施するための最良の形態】
【００２３】
以下、図面に基づき本発明の実施の形態を説明する。
【００２４】
図１は、本発明の実施の形態に係わるネットワークファクシミリシステム５の構成例を示している。ネットワークファクシミリシステム５は、セッション制御プロトコルを利用して呼接続を行ない、ネットワーク２を介して送受信機間をピア・ツゥ・ピアに接続して画像情報を伝送するように構成されたファクシミリシステムであり、インターネットなどのネットワーク２にＳＩＰサーバ１０と、送信側ファクシミリ装置２０と、受信側ファクシミリ装置３０と、リダイレクト宛先４０ａ〜４０ｃとを接続して構成される。なお、ネットワーク２に接続される各装置１０、２０、３０、４０ａ〜４０ｃは図示した台数に限定されず、多数接続されてもよい。
【００２５】
ＳＩＰサーバ１０は、実際には、プロキシサーバ、登録サーバ、ロケーションサーバ、リダイレクトサーバなどの複数のサーバで構成される。送信側ファクシミリ装置２０はセッション制御プロトコルに基づいてセッション制御を行なうネットワーク対応型のファクシミリ装置として構成さている。
【００２６】
受信側ファクシミリ装置３０は、送信側ファクシミリ装置２０と同様のネットワーク対応型のファクシミリ装置としての機能を有すると共にＩＰ電話機３３としての機能を併せ持っている。リダイレクト宛先４０ａ〜４０ｃは、受信側ファクシミリ装置３０の代替機（リダイレクト宛先）として使用される端末装置であり、リダイレクト宛先４０ａは電話用の代替機であり、リダイレクト宛先４０ｂ、４０ｃは、ファクシミリ用の代替機である。リダイレクト宛先４０ａは、ＩＰ電話機のほかＩＰ電話機能を備えたネットワーク対応型ファクシミリ装置でもかまわない。リダイレクト宛先４０ｂ、４０ｃはネットワーク対応型ファクシミリ装置として構成されている。
【００２７】
送信側ファクシミリ装置２０、受信側ファクシミリ装置３０やファクシミリ用のリダイレクト宛先４０ｂ、４０ｃは、図示省略してあるが、いずれもＣＰＵを主要部とする制御部、原稿を光学的に読み取って画像データを取得するスキャナ部、画像を記録紙に印刷するプリンタ部、操作画面の表示とユーザ操作の受け付けを行なう操作表示部、画像データなどを記憶するハードディスク装置、ネットワーク２を介して通信するための通信部などで構成されている。
【００２８】
ネットワークファクシミリシステム５では、受信側ファクシミリ装置３０はＳＩＰサーバ１０に対して、自機を特定するための識別情報とネットワーク２上のアドレス情報（ここでは、自機のＩＰアドレス）とを関連付けた特定情報（宛先情報）を予め登録する（図１、Ｐ１）。本実施の形態では、自機を特定するための識別情報は公衆回線におけるＦＡＸの電話番号（ＦＡＸ番号）であるものとする。
【００２９】
ＳＩＰサーバ１０は送信側ファクシミリ装置２０から受信側ファクシミリ装置３０のＦＡＸ番号で接続要求を受けると（Ｐ２）、そのＦＡＸ番号に関連付けて登録されているＩＰアドレスを検索し、該ＩＰアドレスを使用して送信側ファクシミリ装置２０と受信側ファクシミリ装置３０との呼接続を行なうようになっている。呼接続後における画像データの伝送方式は任意であり、たとえば、ＩＴＵ−Ｔ（International Telecommunication Union-Telecommunication sector）の勧告Ｔ.３８に準拠したプロトコルが使用される。
【００３０】
また、受信側ファクシミリ装置３０は、自機のＦＡＸ番号（自機の特定情報）と関連付けて、自機と異なる他機（たとえば、リダイレクト宛先４０ａ〜４０ｃなどの代替機）のＩＰアドレスを含む宛先情報（他機の特定情報）を一時的に登録すること（以後、リダイレクト設定と呼ぶ。）をＳＩＰサーバ１０に対して要求することができる（図１のＰ１）。ＳＩＰサーバ１０は、リダイレクト設定のなされたＦＡＸ番号に対して送信側ファクシミリ装置２０から接続要求があると（Ｐ２）、そのＦＡＸ番号に対して現在一時的に設定されているリダイレクト宛先の宛先情報をリダイレクトレスポンスとして接続要求元の送信側ファクシミリ装置２０に通知する（Ｐ３）。送信側ファクシミリ装置２０はリダイレクトレスポンスで通知されたリダイレクト宛先に基づいてファクシミリ送信などを実行する（Ｐ４）ようになっている。
【００３１】
受信側ファクシミリ装置３０は、通信手段３１と、宛先設定登録手段３２と、ＩＰ電話機３３としての機能を有する。通信手段３１はネットワーク２を通じてＳＩＰサーバ１０や他のファクシミリ装置と通信する機能を果たし、宛先設定登録手段３２はリダイレクト宛先の設定操作をユーザから受け付けたり、設定されたリダイレクト宛先の宛先情報（他機の特定情報）をＳＩＰサーバ１０に送信して登録したりする機能を果たす。ここでは、１つのＦＡＸ番号（識別情報）に対して複数のリダイレクト宛先（他機の特定情報）を設定することが可能になっている。また、各リダイレクト宛先の宛先情報として、リダイレクト宛先のＩＰアドレス（リダイレクトアドレス）のほか当該リダイレクト宛先の通信種別（電話機かファクシミリ装置かなどを示す付帯情報）を設定登録するようになっている。
【００３２】
ＳＩＰサーバ１０は、通信手段１１と、宛先情報蓄積手段１２としての機能を有している。通信手段１１はネットワーク２を通じてファクシミリ装置２０、３０などと通信する機能を果たす。宛先情報蓄積手段１２は、ＦＡＸ番号毎に、そのＦＡＸ番号がリダイレクト設定中か否かを示す情報を記憶すると共に、リダイレクト設定されていないＦＡＸ番号については、ＦＡＸ番号とそのＦＡＸ番号のファクシミリ装置のＩＰアドレスとを関連付けした宛先情報（受信側ファクシミリ装置３０の特定情報）を記憶する。また、リダイレクト設定されているＦＡＸ番号については、ＦＡＸ番号とリダイレクト宛先のＩＰアドレス（リダイレクトアドレス）と通信種別とを関連付けした宛先情報（リダイレクト宛先４０ａ〜ｃ等の他機の特定情報）を複数のリダイレクト宛先について記憶する機能を果たす。
【００３３】
ＳＩＰサーバ１０は、接続要求を受けたＦＡＸ番号に対してリダイレクト設定がなされている場合は、該ＦＡＸ番号に関連付けて登録されているすべてのリダイレクト宛先の宛先情報をリダイレクトレスポンスとして接続要求元のファクシミリ装置へ返送するようになっている。
【００３４】
送信側ファクシミリ装置２０は、通信手段２１と、通信情報取得／設定手段２２と、送信先設定手段２３と、送信宛先判別手段２４としての機能を果たす。通信手段２１はネットワーク２を通じてＳＩＰサーバ１０や他のファクシミリ装置３０、４０ａ〜４０ｃと通信する機能を果たし、送信先設定手段２３はファクシミリ送信する際の宛先（送信先端末）の設定をユーザから受ける機能を果たす。ここでは、ＦＡＸ番号で宛先指定を受けるようになっている。
【００３５】
通信情報取得／設定手段２２は他の装置１０、３０、４０ｂ、４０ｃと通信する際に、他の装置へ送信する情報を作成・管理・蓄積したり他の装置から受信した情報を管理・蓄積したりする機能などを果たす。送信宛先判別手段２４はＳＩＰサーバ１０からリダイレクトレスポンスを受けた場合に、該リダイレクトレスポンスに含まれる複数のリダイレクト宛先の中からそれらの宛先情報（他機の特定情報）に含まれる通信種別に基づいて転送先を抽出する抽出手段としての機能を果たす。通信情報取得／設定手段２２は、送信宛先判別手段２４で抽出されたリダイレクト宛先に対して送信を行なうようになっている。
【００３６】
図２は、受信側ファクシミリ装置３０がリダイレクト設定を行なう際の処理の流れを示し、図３は、該処理において受信側ファクシミリ装置３０の操作表示部に表示される操作画面の遷移の一例を示している。まず、受信側ファクシミリ装置３０においてリダイレクト宛先に関する宛先情報の設定が行なわれる（ステップＳ１０１）。詳細には、図３（ａ）に示すようなリダイレクト宛先設定画面５０にて少なくとも１つのリダイレクト宛先がユーザにより設定される。ユーザはリダイレクト宛先を複数設定することができる。
【００３７】
リダイレクト宛先設定画面５０にていずれか１つのリダイレクト宛先を選択した状態で詳細設定釦５１を操作すると、図３（ｂ）に示す詳細設定画面５３ａが表示される。ユーザは詳細設定画面５３ａの宛先入力欄５４にてリダイレクト宛先のＩＰアドレスを設定する。また  該リダイレクト宛先に対する通信種別を番号種別入力欄５５にて設定する。
【００３８】
番号種別入力欄５５には、宛先入力欄５４に設定された宛先の通信種別を入力し、たとえば、ファクシミリ装置か、電話機か、ファクシミリ機能と電話機能とを併せ持つ電話付きファクシミリ装置かなどの情報を入力する。該入力は、ユーザが操作表示部から直接入力してもよいし、番号種別に関しては予め用意した選択肢の中から選択させてもよい。たとえば、詳細設定画面５３ａで番号種別入力欄５５を選択した状態で変更釦５６を押下すると、図３（ｃ）の詳細設定画面５３ｂに示す選択肢欄５７が表示され、ユーザはこの選択肢欄５７に表示された中で通信種別を選択する。
【００３９】
リダイレクト宛先に関する設定が完了してリダイレクト宛先設定画面５０のＯＫ釦５２が押下されると、設定されたリダイレクト宛先に関する宛先情報がリダイレクト設定要求としてＳＩＰサーバ１０へ送信され、ＳＩＰサーバ１０の宛先情報蓄積手段１２に登録される（図２、ステップＳ１０２）。
【００４０】
受信側ファクシミリ装置３０のように電話機能とファクシミリ機能とを有する装置の場合、電話用のリダイレクト宛先とファクシミリ用のリダイレクト宛先とをそれぞれ１または複数箇所、別々に設定されることがある。
【００４１】
図４は、送信側ファクシミリ装置２０における処理の流れを示している。送信先設定手段２３にて送信先のＦＡＸ番号が指定され、原稿が図示省略のスキャナ部にセットされた状態でファクシミリ送信のスタート釦（図示省略）が操作されると、送信側ファクシミリ装置２０はＳＩＰサーバ１０に対して送信先のＦＡＸ番号に対応するＩＰアドレスの問い合わせ（該ＦＡＸ番号に対応する受信側ファクシミリ装置３０への接続要求）を行なう（ステップＳ２０１、図１のＰ２）。
【００４２】
ここで、送信先のＦＡＸ番号に対してリダイレクト設定がなされているときは、接続要求に対する応答としてＳＩＰサーバ１０からリダイレクトレスポンスが受信される（ステップＳ２０２、図１のＰ３）。
【００４３】
図５は、リダイレクトレスポンスに含まれる複数のリダイレクト宛先の宛先情報を列挙した宛先テーブル６０の一例である。宛先テーブル６０には、リダイレクト宛先毎に、登録番号６１と、ＩＰアドレス（図中のリダイレクト宛先６２）と、通信種別（図中の番号種別６３）とが関連付けて登録されている。図５の例では、Ｎｏ.００１、Ｎｏ.００２、Ｎｏ.００５のリダイレクト宛先の通信種別は「電話」に、Ｎｏ.００３、Ｎｏ.００４、Ｎｏ.００６のリダイレクト宛先の通信種別は「ＦＡＸ」になっており、電話用のリダイレクト宛先とファクシミリ用のリダイレクト宛先とが混在している。
【００４４】
リダイレクトレスポンスを受信した送信側ファクシミリ装置２０は、送信宛先判別手段２４により、今回の通信目的（ファクシミリ送信か電話かなど）に合致するリダイレクト宛先を抽出する。詳細には、ＳＩＰサーバ１０から受信した複数のリダイレクト宛先の中からいずれか１つのリダイレクト宛先の宛先情報を取得する（ステップＳ２０３）。たとえば。宛先テーブル６０の先頭から順にリダイレクト宛先の宛先情報を取得する。
【００４５】
次に、当該送信側ファクシミリ装置２０がファクシミリ通信を行なおうとしていたのか否かを判断し（ステップＳ２０４）、ファクシミリ送信を行なおうとしていた場合は（ステップＳ２０４；Ｙ）、先にステップＳ２０３で取得したリダイレクト宛先の宛先情報に含まれる通信種別がファクシミリ（電話付きでもよい）か否かを調べる（ステップＳ２０５）。通信種別がファクシミリの場合は（ステップＳ２０５；Ｙ）、そのリダイレクト宛先を送信宛先リストに登録する（ステップＳ２０６）。通信種別がファクシミリでない場合は（ステップＳ２０５；Ｎ）、そのリダイレクト宛先は送信宛先リストに登録しない。
【００４６】
一方、当該送信側ファクシミリ装置２０がファクシミリ通信を行なおうとしていない場合は（ステップＳ２０４；Ｎ）、ステップＳ２０３で取得したリダイレクト宛先の宛先情報に含まれる通信種別が電話（電話付きファクシミリでもよい）か否かを調べ（ステップＳ２０７）、電話の場合は（ステップＳ２０７；Ｙ）、そのリダイレクト宛先を送信宛先リストに登録し（ステップＳ２０８）、通信種別が電話でない場合は（ステップＳ２０７；Ｎ）、そのリダイレクト宛先を送信宛先リストに登録しない。
【００４７】
こうして送信宛先リストへの登録判定（ステップＳ２０３〜Ｓ２０８）を行なった後、ＳＩＰサーバ１０から受信した複数のリダイレクト宛先の中で登録判定が行なわれていないリダイレクト宛先が残っているか否かを調べ（ステップＳ２０９）、残っている場合は（ステップＳ２０９；Ｙ）、その中から次のリダイレクト宛先を取得（ステップＳ２１０）してステップＳ２０３に戻り、該リダイレクト宛先について登録判定を実行する。なお、ファクシミリ送信や電話といった通信目的（送信側ファクシミリ装置２０が今回の通信で利用したい通信種別）については、送信側ファクシミリ装置２０の操作設定画面で設定入力された情報を用いても良いし、送信側ファクシミリ装置２０におけるジョブのモード（例えば、ＦＡＸモード）の情報を用いて判断しても構わない。
【００４８】
すべてのリダイレクト宛先について送信宛先リストへの登録判定が完了した場合は（ステップＳ２０９；Ｎ）、送信宛先リストに登録されているすべてのリダイレクト宛先に対する通信制御を行ない、ファクシミリ送信の場合は、画像データを送信して（ステップＳ２１１）処理を終了する（エンド）。
【００４９】
図６は、ファクシミリ送信を行なおうとしていた場合に図５の宛先テーブル６０から作成される送信先リスト７０の一例を示している。宛先テーブル６０に登録されたリダイレクト宛先の中で通信種別（番号種別）が「ＦＡＸ」（ファクシミリ）のものだけが抽出されてリスト化されている。この例では、Ｎｏ.００３、Ｎｏ.００４、Ｎｏ.００６のリダイレクト宛先が自動的に選択されてファクシミリ送信が行なわれる。
【００５０】
このように、当初の通信目的（ファクシミリ送信または電話）と合致するリダイレクト宛先を自動的に抽出し、該抽出したリダイレクト宛先に対してファクシミリ送信などを自動的に実行するので、１つの受信側ファクシミリ装置３０に対して電話用とファクシミリ用のリダイレクト宛先と別々に設定されている場合でも、たとえば、該受信側ファクシミリ装置３０に対してファクシミリ送信を行なおうとしていた場合には、ファクシミリ用のリダイレクト宛先に対してのみ画像情報が送信されるので、ファクシミリ送信を誤って電話用のリダイレクト宛先に対して実行するようなことが防止される。
【００５１】
以上、本発明の実施の形態を図面によって説明してきたが、具体的な構成は実施の形態に示したものに限られるものではなく、本発明の要旨を逸脱しない範囲における変更や追加があっても本発明に含まれる。
【００５２】
たとえば、ファクシミリ送信に対するリダイレクトレスポンスにおいて、ファクシミリ用のリダイレクト宛先が１つも存在しない場合には、ユーザに対してエラー通知などを行なって処理を終了させるとよい。
【００５３】
このほか、実施の形態では、通信種別を電話とファクシミリと電話付きファクシミリとに分類して管理したが、たとえば、ネットワークファクシミリとしての送信形態（ＩＴＵ−ＴのＴ.３７準拠拠、Ｔ.３８準拠など）が複数ある場合は、それらをさらに区別するようにしてもかまわない。
【００５４】
また、上述の実施の形態においては、複数のリダイレクト先から所望のリダイレクト先を抽出するに際して、付帯情報として通信種別に基づいて抽出を行なう例を示した。しかしながら、これに限らず、付帯情報としてリダイレクト先に関する場所情報を登録し、この場所情報に基づいて抽出するようにしても良い。この形態の場合、リダイレクト先として、送信側の条件に適したリダイレクト先を自動的に選択し、通信制御を行なうことが可能になる。
【図面の簡単な説明】
【００５５】
【図１】本発明の実施の形態に係わるネットワークファクシミリシステムの構成例を示す説明図である。
【図２】受信側ファクシミリ装置がリダイレクト設定する際の処理を示す流れ図である。
【図３】リダイレクト宛先を設定する際に受信側ファクシミリ装置の操作表示部に表示される操作画面の遷移の一例を示す説明図である。
【図４】送信側ファクシミリ装置での処理を示す流れ図である。
【図５】リダイレクトレスポンスに含まれる複数のリダイレクト宛先の宛先情報を列挙した宛先テーブルの一例を示す説明図である。
【図６】図５の宛先テーブルからファクシミリ用のリダイレクト宛先が抽出して作成された送信先リストを示す説明図である。
【符号の説明】
【００５６】
２…ネットワーク
５…ネットワークファクシミリシステム
１０…ＳＩＰサーバ
１１…通信手段
１２…宛先情報蓄積手段
２０…送信側ファクシミリ装置
２１…通信手段
２２…通信情報取得／設定手段
２３…送信先設定手段
２４…送信宛先判別手段
３０…受信側ファクシミリ装置
３１…通信手段
３２…宛先設定登録手段
３３…ＩＰ電話機
４０ａ…電話用のリダイレクト宛先
４０ｂ、４０ｃ…ファクシミリ用のリダイレクト宛先
５０…リダイレクト宛先設定画面
５１…詳細設定釦
５２…ＯＫ釦
５３ａ、５３ｂ…詳細設定画面
５４…宛先入力欄
５５…番号種別入力欄
５６…変更釦
５７…選択肢欄
６０…宛先テーブル
７０…送信先リスト
【図１】
2007312337.tif 000003
【図２】
2007312337.tif 000004
【図３】
2007312337.tif 000005
【図４】
2007312337.tif 000006
【図５】
2007312337.tif 000007
【図６】
2007312337.tif 000008